(57)【要約】      （修正有）【課題】電子部品の包装とキャリアテープへの粘着剤の塗布とを並行して実施する方法及びその装置を提供する。【解決手段】粘着剤の連続的な排出と包装作業との間で断続的な走行運動を調整し、電子部品が置かれる短い停止時間に、連続的に排出された粘着剤は、キャリアテープに電子部品が固定されたい位置に集中して過度に塗布されることを回避でき、粘着剤の過度的な使用を避けることに加えて、包装の品質に過量の粘着剤による影響を与えないことを確保できる。【選択図】図１
2019108143.tif 000002
【特許請求の範囲】
【請求項１】
電子部品の包装とキャリアテープへの粘着剤の塗布とを並行して実施する方法であって、
第１テープが、順次に、塗布部と、結合部とを通過し、
前記第１テープが前記塗布部を通過する時、前記第１テープの、前記塗布部を通過する部分の、前記第１テープの片側にある粘着面に、粘着剤が塗布され、
前記１テープが前記結合部を通過する時、前記第１テープと第２テープとが、前記粘着剤によって粘着され、
前記第１テープが、
第１運動に従って、前記塗布部を連続的に通過し、
第２運動に従って、前記結合部を断続的に通過する、
ことを特徴とする電子部品の包装とキャリアテープへの粘着剤の塗布とを並行して実施する方法。
【請求項２】
前記粘着面を伸展させるように、前記塗布部と前記結合部との間にある前記第１テープの待機部分が伸展される、
ことを特徴とする請求項１に記載の電子部品の包装とキャリアテープへの粘着剤の塗布とを並行して実施する方法。
【請求項３】
前記第１運動の速度は、前記第２運動の速度より大きく、
前記第１運動と前記第２運動との速度差による、前記待機部分の長さが増えた部分は、前記粘着面の伸展を維持させるように、張力が付与される、
ことを特徴とする請求項２に記載の電子部品の包装とキャリアテープへの粘着剤の塗布とを並行して実施する方法。
【請求項４】
前記塗布部で行われる粘着剤の塗布は、複数回に分けて実施され、且つ順次実施する間に中断時間を挟んで断続的に実施される、ことを特徴とする請求項２又は請求項３に記載の電子部品の包装とキャリアテープへの粘着剤の塗布とを並行して実施する方法。
【請求項５】
前記中断時間は、前記第２運動の断続的な動作の停止時間より長い、ことを特徴とする請求項４に記載の電子部品の包装とキャリアテープへの粘着剤の塗布とを並行して実施する方法。
【請求項６】
前記第１運動の運動時間は、前記第２運動の断続的な動作の運動時間より長い、ことを特徴とする請求項４に記載の電子部品の包装とキャリアテープへの粘着剤の塗布とを並行して実施する方法。
【請求項７】
前記待機部分にある粘着剤を乾燥させる、ことを特徴とする請求項１に記載の電子部品の包装とキャリアテープへの粘着剤の塗布とを並行して実施する方法。
【請求項８】
電子部品の包装とキャリアテープへの粘着剤の塗布とを並行して実施する装置であって、塗布部と、結合部と、第１テープと、第２テープとを備え、
前記塗布部は、少なくとも１つの塗布端部を有し、粘着剤の出力に用いられ、
前記結合部は、前記塗布部から離れて設けられ、
前記第１テープは、連続的に延伸するテープ状であり、第１供給端から、順次に前記塗布部と前記結合部とを通過した後、収集端に回収され、且つ片側にある粘着面が前記塗布部を通過する時に、前記塗布端部に向かせ、前記塗布部が前記塗布端部によって前記粘着剤を前記粘着面に塗布するように設けられ、且つ前記第１テープが前記塗布部において粘着剤を前記粘着面に塗布する時に、第１運動で前記塗布部を連続的に通過させ、前記第１テープが前記結合部を通過する時に、第２運動で前記結合部を断続的に通過させ、
前記第２テープは、連続的に延伸するテープ状であり、第２供給端から、前記結合部を通過した後、前記収集端に回収され、且つ前記結合部を通過する時に、片側が前記粘着面に面し、前記粘着面にある前記粘着剤によって、前記第１テープと前記第２テープとを粘着する、ことを特徴とする電子部品の包装とキャリアテープへの粘着剤の塗布とを並行して実施する装置。
【請求項９】
第１動力部と第２動力部とをさらに備え、
前記第１動力部は、動力を提供し、前記第１テープを連動して前記第１運動を行い、
前記第２動力部は、動力を提供し、前記第１テープを連動して前記第２運動を行う、ことを特徴とする請求項８に記載の電子部品の包装とキャリアテープへの粘着剤の塗布とを並行して実施する装置、。
【請求項１０】
前記第２テープと前記第１テープとが、同期して、前記第２運動に従って、前記結合部を通過する、ことを特徴とする請求項９に記載の電子部品の包装とキャリアテープへの粘着剤の塗布とを並行して実施する装置。
【請求項１１】
前記第２動力部が提供された動力は、同時に前記第２テープを連動して前記第２運動を行い、断続的に前記結合部を通過する、ことを特徴とする請求項１０に記載の電子部品の包装とキャリアテープへの粘着剤の塗布とを並行して実施する装置。
【請求項１２】
伸展部をさらに備え、前記伸展部は、前記塗布部と前記結合部との間にある前記第１テープの待機部分における、前記粘着面の裏面にある支持面に張力を付与して、前記第１テープを支持して伸展させる、ことを特徴とする請求項８に記載の電子部品の包装とキャリアテープへの粘着剤の塗布とを並行して実施する装置。
【請求項１３】
前記伸展部は変位可能である、ことを特徴とする請求項１２に記載の電子部品の包装とキャリアテープへの粘着剤の塗布とを並行して実施する装置。
【請求項１４】
第１動力部をさらに備え、前記第１動力部は、前記伸展部を介して前記第１テープに動力を提供して、前記第１テープを駆動させて前記第１運動を行う、ことを特徴とする請求項１３に記載の電子部品の包装とキャリアテープへの粘着剤包装とキャリアテープへの粘着剤の塗布とを並行して実施する装置。
【請求項１５】
前記第１動力部は油圧機構である、ことを特徴とする請求項９又は請求項１４に記載の電子部品の包装とキャリアテープへの粘着剤の塗布とを並行して実施する装置。
【請求項１６】
前記伸展部はガイドローラを有し、前記ガイドローラは、前記第１動力部の出力軸端部に間接的に固設され、且つ前記ガイドローラの円筒外周面が前記第１テープの支持面に当接される、ことを特徴とする請求項１４に記載の電子部品の包装とキャリアテープへの粘着剤の塗布とを並行して実施する装置。
【請求項１７】
制動部をさらに備え、前記制動部は、前記第１供給端と前記塗布部との間にある前記第１テープの移動を停止させる、ことを特徴とする請求項８、９又は請求項１４に記載の電子部品の包装とキャリアテープへの粘着剤の塗布とを並行して実施する装置。
【請求項１８】
前記制動部が前記第１供給端と前記塗布部との間にある前記第１テープの移動を停止した場合に、前記塗布部が同時に前記粘着剤の出力を停止させる、ことを特徴とする請求項１７に記載の電子部品の包装とキャリアテープへの粘着剤の塗布とを並行して実施する装置。
【請求項１９】
前記第１供給端と前記塗布部との間にある前記第１テープが、前記制動部によって、停止された場合、前記第１テープが前記第２運動で前記結合部を通過し続ける、ことを特徴とする請求項１７に記載の電子部品の包装とキャリアテープへの粘着剤の塗布とを並行して実施する装置。
【請求項２０】
前記第１運動の速度は、前記第２運動の速度より大きく、前記塗布部と前記結合部との間にある前記第１テープの待機部分の長さを増加させる、ことを特徴とする請求項１９に記載の電子部品の包装とキャリアテープへの粘着剤の塗布とを並行して実施する装置。
【請求項２１】
乾燥部をさらに備え、前記乾燥部は、前記塗布部と前記結合部との間に、且つ前記塗布部に隣接して設けられ、前記第１テープにおける前記粘着剤を乾燥させる、ことを特徴とする請求項８に記載の電子部品の包装とキャリアテープへの粘着剤の塗布とを並行して実施する装置。
【請求項２２】
前記乾燥部は、熱エネルギを乾燥手段とする、ことを特徴とする請求項２１に記載の電子部品の包装とキャリアテープへの粘着剤の塗布とを並行して実施する装置。
【発明の詳細な説明】
【技術分野】
【０００１】
本発明は、電子部品の包装技術に関し、特に電子部品の包装とキャリアテープへの粘着剤の塗布とを並行して実施する方法及びその装置に関する。
【背景技術】
【０００２】
キャリアテープを用いて電子部品を梱包する従来技術では、粘着層を上テープに塗布させることで生じる不都合と、エネルギーの無駄な消費とを解決するために、出願人は、特許技術文献ＣＮ１０３２１３７０１Ａにおいて、粘着層の塗布が電子部品の包装を実施するまで遅らせて行われる技術を提供した。このような技術によれば、上テープに粘着層の予備的な塗布及び保護用剥離層の粘着の必要がなくなるため、製造コストを大幅に削減することができ、生産上の経済効果があった。
【０００３】
しかしながら、当該現有技術が実際に使用される時、下テープの表面に粘着剤が塗布されることによって、上テープに貼り合わせられる周知の粘着技術を用いている。このような方法においては、粘着剤の塗布の制御を容易にするために、一定の流量で粘着剤が下テープに塗布される方法を使用しており、粘着剤の塗布への制御を容易にすることができたが、粘着剤を一定の流量で塗布することによって、産業上の応用において、電子部品の包装技術との調和性が悪く、粘着剤の塗布と電子部品の包装作業とのタイミングを合わせることができないという問題があった。
【０００４】
具体的には、キャリアテープを用いて電子部品を包装する際、電子部品が下テープの収容室に配置されるために、下テープを断続的に進行させ、下テープが停止している短い間に、電子部品を下テープの収容室に配置する方法は汎用手段である。しかし、粘着剤の塗布は一定流量で連続して実行されるため、テープの停止中にも粘着剤が排出し続けられ、粘着剤が過量に塗布されることになる。また、過量の粘着剤が無駄になるだけではなく、電子部品の品質にも影響を与える恐れがある。
【発明の概要】
【発明が解決しようとする課題】
【０００５】
本発明の目的とは、電子部品の包装とキャリアテープへの粘着剤の塗布とを並行して実施する方法を提供することである。粘着剤の連続的な排出と包装作業との間に断続的な進行運動を調整し、電子部品が置かれる短い停止時間に、連続的に排出された粘着剤は、キャリアテープに電子部品が固定されたい位置に集中して過度に塗布されることを回避でき、粘着剤の過度な使用を避けることに加えて、包装の品質に過量の粘着剤による影響を与えないことを達成することができる。
【課題を解決するための手段】
【０００６】
上述の目的を達成するために、本発明は、電子部品の包装とキャリアテープへの粘着剤の塗布とを並行して実施する方法を提供する。前記方法の特徴とは、第１テープが塗布部と結合部を通過する時に、異なる運動状態で進行することである。前記の方法によれば、前記塗布部において、粘着剤が連続的に前記第１テープに塗布され、前記結合部において、前記第１テープと第２テープの粘着が断続的に実行される。
【０００７】
前記第１テープが、前記塗布部において前記第１テープに粘着剤を塗布する時に、第１運動に従って連続的に前記塗布部を通過し、その後、前記第１テープが第２運動に従って断続的に前記結合部を通過する。
【０００８】
前記第１運動の速度が、前記第２運動の速度より大きく設定される。このような設定によれば、前記塗布部と前記結合部との間に、長くなった前記第１テープの待機部分が張力により伸展され、前記待機部分のスタックを回避できる。前記待機部分の長さの増加分が張力による伸展の範囲を超えることを回避するために、前記塗布部で行われる粘着剤の塗布は、数回に分けて実施されても良く、実施する間に中断時間を挟んで断続的に実施されても良い。
【０００９】
前記第１運動の連続的な運動時間は、前記工程の実施時間と同じであり、且つ前記中断時間が、前記第２運動の断続的な動作の停止時間より長く設定され、粘着剤の塗布を集中的に実行させ、これによって、前記塗布の回数を減少することができる。
【００１０】
また、粘着剤が意図しない位置に溢れる又は貼り付くことを防止するために、待機部分にある接着剤を乾燥させても良い。乾燥工程は塗布工程直後に行われる。
【００１１】
本発明のもう一つの目的とは、電子部品の包装とキャリアテープへの粘着剤の塗布とを並行して実施する装置を提供することであり、前記電子部品の包装とキャリアテープへの粘着剤の塗布とを並行して実施する方法を実施することができる。
【００１２】
上述の目的を達成するために、本発明が提供される電子部品の包装とキャリアテープへの粘着剤の塗布とを並行して実施する装置は、前記塗布部と、前記結合部と、前記第１テープと、前記第２テープとを備える。前記塗布部が、少なくとも１つの前記粘着剤を排出する塗布端部を備え、前記結合部と前記塗布部とが、それぞれ異なる位置に配置され、前記第１テープが連続的に延伸するテープ状のものであり、第１供給端から、順次前記塗布部と前記結合部とを通過した後、収集端に回収される。片側にある粘着面が、前記塗布部を通過する際に、前記塗布端部に面するように設けられる。前記塗布部において、前記塗布端部が、前記粘着剤を前記粘着面に塗布し、且つ前記塗布部において粘着剤を前記第１テープの前記粘着面に塗布させる時に、第１運動に従って連続的に前記塗布部を通過し、前記第１テープが前記結合部を通過する際に、第２運動に従って断続的に前記結合部を通過する。前記第２テープは、連続的に延伸するテープ状のものであり、第２供給端から、前記結合部を通過した後、前記収集端に回収される。前記結合部を通過する際、前記第２テープの片側が、前記粘着面に面し、前記粘着面の前記粘着剤を用いて、前記第１テープと前記第２テープとを粘着する。
【００１３】
前記第１テープの前記第１運動と前記第２運動とが、異なる動力によって駆動され、即ち、第１動力部が前記第１テープに動力を提供して前記第１運動を駆動させ、第２動力部が前記第１テープに動力を提供して前記第２運動を駆動させる。
【００１４】
前記第２テープが、前記結合部を通過する際、前記第２運動に従って前記結合部の前記第１テープと同期して移動する。同期運動を容易にするため、前記第２動力部が前記第１テープと前記第２テープとを同期して駆動させる。
【００１５】
前記塗布部と前記結合部との間にある前記第１テープの待機部分に張力を与えて、前記待機部分の垂下による影響を与えないために、伸展部が、前記待機部分に当接し、この当接により前記第１テープを伸展させる。
【００１６】
前記第１運動の速度が前記第２運動の速度より大きい場合、前記待機部分の長さが増加し、その長さの増加に対応するために、前記伸展部が移動可能に設けられている。このような設計によれば、前記待機部分の長さの増加に応じて移動し、前記第１テープに必要な張力を付与することができる。
【００１７】
装置を簡単化するために、前記第１動力部が、移動可能な前記伸展部を通じて、前記第１テープを前記第１運動をするように移動させても良い。
【００１８】
前記第１動力部は、流体圧力による動力源の油圧機構であり、前記伸展部が前記第１動力部の出力軸に配置され、前記第１動力部の出力軸が延伸する時に、前記第１テープを移動させて前記第１運動を実行させるとともに、前記伸展部を変位させ、前記伸展部と前記待機部分との当接を維持させる。前記第１動力部の出力軸が縮短する或いは縮短される時に、前記第１テープの前記第１運動を停止させるが、前記第２運動が続けられることで、前記待機部分の長さを短縮する。前記第１動力部における出力軸の縮短は、前記第２運動と同時に実行させ、これによって、伸展部が縮短された待機部分に張力を付与し続けることができる。
【図面の簡単な説明】
【００１９】
【図１】本発明の好ましい実施例に係る装置を示す側面側から見た立体図である。
【図２】本発明の好ましい実施例に係る装置を示す別の側面側から見た立体図である。
【図３】本発明の好ましい実施例に係る装置を示す分解図である。
【図４】本発明の好ましい実施例に係る装置を示す平面図であり、第１テープが塗布部を通る状態を示している。
【図５】本発明の好ましい実施例に係る装置の局部を示す平面図であり、第１テープと第２テープとが結合部を通る状態を示している。
【図６】本発明の好ましい実施例に係る装置の局部を示す平面図であり、伸展部が第１テープに張力を付与する状態を示している。
【図７】本発明の好ましい実施例に係る装置の局部を示す平面図であり、第１動力部に連動される第１テープが行われる第１運動の動作状態を示している。
【図８】本発明の好ましい実施例に係る装置の局部を示す平面図であり、制動部が第１テープを制動させていない状態を示している。
【図９】本発明の好ましい実施例に係る装置の局部を示す平面図であり、制動部が第１テープを制動させている状態を示している。
【図１０−１２】本発明の好ましい実施例に係る装置の制動部が第１テープを挟むことを増強した状態を示している。
【発明を実施するための形態】
【００２０】
まず、図１〜図３を参照されたい。本発明の好ましい実施例に提供される、電子部品の包装とキャリアテープへの粘着剤の塗布とを並行して実施する装置（１０）は、機台（１１）、塗布部（１２）、乾燥部（１３）、結合部（１４）  、第１動力部（１５）  、第２動力部（１６）、伸展部（１７）、制動部（１８）、第１テープ（１９）及び第２テープ（２０）を備える。
【００２１】
前記機台（１１）が長方形のベース（１１１）を有し、第１巻取部と第２巻取部（１１２）（１１３）とがアームを介して前記ベース（１１１）の長軸の両端に設けられ、電子部品配置加工エリア（１１４）が前記ベース（１１１）の上方、且つ前記第１巻取部（１１２）と前記第２巻取部（１１３）との間に設けられ、支柱（１１５）が前記ベース（１１１）に立設され、第３巻取部（１１６）が前記支柱（１１５）の中央部に枢設され、支持アーム（１１７）が前記支柱（１１５）の上端部から横方向に延伸して設けられる。
【００２２】
次に、図４を参照されたい。前記塗布部（１２）が前記支柱（１１５）の頂部に固設される支持金具（１２１）を有し、太いチューブ状の容器（１２２）が前記支持金具（１２１）に挿設され、細いチューブ状の塗布端部（１２３）が前記容器（１２２）と連通し、且つ互いに対称に前記容器（１２２）の底端から延伸するように設けられ、位置決め金具（１２４）が、側面が前記塗布端部（１２３）ノズルに隣接するように、前記支柱（１１５）に固設され、押さえロール（１２５）が、ローラ面が前記位置決め金具（１２４）に当接するように、２つの押さえ治具（１２６）（１２７）を介して前記支持金具（１２１）に枢設され、且つ前記塗布端部（１２３）の下方に設けられる。
【００２３】
前記乾燥部（１３）が、前記支持アーム（１１７）に固設される長方形の箱体（１３１）を有し、入口（１３２）と出口（１３３）とが、前記箱体（１３１）の内部空間と外部とを連通させるように、前記箱体（１３１）の長軸の両端に設けられ、複数のヒートパイプ（１３４）が前記箱体（１３１）内の底部に均一に設けられ、且つ前記入口（１３２）と前記出口（１３３）とが存在する水平面の下方に設けられ、前記ヒートパイプ（１３４）の熱エネルギーによって、空気を加熱して熱対流を発生させるか、又は外部の空気流発生装置を増加して空気の対流を増加させるか、又は超音波で粘着剤の液体溶媒を振動させ、溶媒分子のエネルギーを増大させることで、気体の散逸速度を加速する。
【００２４】
図５を参照されたい。前記結合部（１４）が前記ベース（１１１）に設けられ、且つ前記電子部品配置加工エリア（１１４）と前記第１巻取部（１１２）との間に配置される。
【００２５】
前記第１動力部（１５）は、流体圧を動力源として用いられる油圧機構であり、前記支持アーム（１１７）に固設される。
【００２６】
前記第２動力部（１６）は、モータ等の従来の駆動手段であってもよく、電子部品包装技術に適用される他の周知の駆動手段であっても良い。前記第２動力部（１６）についての詳細は省略する。
【００２７】
図６を参照されたい。前記伸展部（１７）がガイドローラ（１７１）を有し、前記ガイドローラ（１７１）が前記第１動力部（１５）における出力軸（１５１）の末端に回転可能に配置され、且つ前記第１動力部（１５）の出力軸（１５１）の延伸に従って直線に往復変位できる。
【００２８】
図８に示すように、前記制動部（１８）が、前記塗布部（１２）と前記第３巻取部（１１６）との間に設けられ、前記支柱（１１５）に固設される支持プレート（１８１）と、両端が前記支持プレート（１８１）に吊設される柱状の固定部（１８２）と、前記固定部（１８２）と前記支持プレート（１８１）との間に、且つ前記固定部（１８２）に対して前記支持プレート（１８１）において摺動できるように設けられるブロック状の可動部（１８３）と、前記支持プレート（１８１）に固設され、且つ前記可動部（１８３）を移動させて前記固定部（１８２）に向かって直線往復変位させるように、動力源を提供できる制動のための油圧機構（１８４）とを備える。
【００２９】
前記第１テープ（１９）と前記第２テープ（２０）とは、キャリアテープの周知の構成であり、前記第２テープ（２０）には、電子部品を収容する複数の収容部（図示せず）を有し、前記第１テープ（１９）が前記第２テープ（２０）に粘着して前記収容部の開口を封止することによって、封止された電子部品を得る。前記第１テープ（１９）が、巻いた状態で前記第３巻取部（１１６）に捲着され、装置の第１供給端とする。前記第１テープ（１９）が順次前記制動部（１８）、前記塗布部（１２）、前記乾燥部（１３）、前記伸展部（１８）及び前記結合部（１４）を通過し、収集端としての前記第１巻取部（１１２）に捲着される。前記第２テープ（２０）が、巻いた状態で前記第２巻取部（１１３）に捲着され、装置の第２供給端とする。前記第２テープ（２０）が順次前記電子部品配置加工エリア（１１４）と前記結合部（１４）を通過し、収集端としての前記第１巻取部（１１２）に捲着される。
【００３０】
上述した構成によれば、前記電子部品の包装とキャリアテープへの粘着剤の塗布とを並行して実施する装置（１０）の使用では、前記第２動力部（１６）が、ベルト（１６１）の伝動を介して、捲着される前記第１テープ（１９）と前記第２テープ（２０）を捲着させるように、前記第１巻取部（１１２）を断続的に回転させる。これによって、前記第１テープ（１９）と前記第２テープ（２０）が同時に捲着され、且つ第２運動に従って同期して、前記結合部（１４）を間接的に通過して変位する。これにより、前記第２テープ（２０）が前記電子部品配置加工エリア（１１４）を通過する時に、電子部品を収容部位に投入やすくなり、その後、前記結合部（１４）において、前記結合部（１４）が周知の結合方法で前記第１テープ（１９）と前記第２テープ（２０）とを粘着する。
【００３１】
前記第１テープ（１９）と前記第２テープ（２０）との粘着に用いられる粘着剤が、前記塗布部（１２）を介して、周知の実施手段により前記第１テープ（１９）の粘着面（１９１）に塗布される。具体的には、前記第１テープ（１９）が、前記塗布部（１２）を通過する時に、前記位置決め金具（１２４）と前記塗布端部（１２３）との間に位置され、且つ前記粘着面（１９１）が前記塗布端部（１２３）ノズルに当接され、前記容器（１２２）に貯蔵された粘着剤が、前記塗布端部（１２３）を介して継続的に通過している前記粘着面（１９１）に塗布される。塗布された後、前記乾燥部（１３）に転送されて乾燥させ、その乾燥度は粘着剤が流れない程度に到達すれば良く、粘着剤に応じて調整しても良い。例えば、一定の速度で前記乾燥部（１３）を通過したり、又は、前記乾燥部（１３）での停留時間を長くしたり、その後、前記第１テープ（１９）が前記粘着面（１９１）の裏面にある支持面（１９２）によって、前記ガイドローラ（１７１）に粘着され、上に向いた前記粘着面（１９１）を回転して下に向かせることで、前記結合部（１４）において、前記粘着面（１９１）と前記第２テープ（２０）とを対向させ、粘着剤によって前記第１テープ（１９）と前記第２テープ（２０）とを粘着させる。
【００３２】
前記第２動力部（１６）で連動される前記第１テープ（１９）の変位は断続的な運動であり、前記塗布部（１２）での粘着剤が継続的に流出する塗布状態にすることができないため、前記第１動力部（１５）がその間にあり、図６〜図７に示すように、前記出力軸（１５１）の安定な速度で延伸し続ける動力によって、前記第１テープ（１９）が前記塗布部（１２）において粘着剤を塗布される時に、前記第２運動の第１運動よりも速い速度で、連続して前記塗布部（１２）を通過させる。その結果、粘着剤が連続して出力される時においても、前記第２動力部（１６）の停止による粘着剤が不均一に塗布されることを回避できる。
【００３３】
前記出力軸（１５１）が延伸するとともに、前記ガイドローラ（１７１）が同期して変位され、且つ前記第１テープ（１９）の支持面（１９２）に当接しながら転がる。前記第１動力部（１５）は、前記第１テープ（１９）を連動して前記第１運動を行わせることに加えて、前記塗布部（１２）と前記結合部（１４）との間にある前記第１テープ（１９）の使用されたい部分を伸展されるように維持させる。前記粘着面（１９１）が伸展状態に維持されることによって、スタックして互いに粘着されることを回避できる。
【００３４】
しかしながら、前記第１動力部（１５）における出力軸（１５１）の延伸度が有限であるため、前記出力軸（１５１）が延伸できなくなった場合、図８及び図９に示すように、前記制動部（１８）が前記第１テープ（１９）を挟むことによって、前記第１テープ（１９）が前記第３巻取部（１１６）から取り出せなくなり、前記第１運動を中断する。同時に、前記塗布部（１２）より粘着剤の排出が一時的に停止され、粘着剤の過量投与を回避できる。この時に、前記第１テープ（１９）への制動力で、前記第１テープ（１９）と前記塗布部（１２）との相対位置が固定され、前記第２動力部（１６）の持続的な牽引による摺動が発生しないように確保するために、図１０及び図１２に示すように、前記制動部（１８）は、回転ローラ（１８５）を更に備える。前記回転ローラ（１８５）が、前記支柱（１１５）側に延伸して設けられた回転ローラ支持金具（１８６）に枢設され、且つ外部動力による駆動で、前記回転ローラ支持金具（１８６）において回転できる。長板状の押圧金具（１８７）の一端が記回転ローラ（１８５）に固設され、他端が傾斜面で前記押さえロール（１２５）のローラ面に当接される。これによって、前記回転ローラ（１８５）が外部動力で図１１に示されている方向に回転する場合、前記押圧金具（１８７）の他端の傾斜面が前記押さえロール（１２５）を押さえ、前記押さえロール（１２５）が前記第１テープ（１９）を前記押さえロール（１２５）と前記位置決め金具（１２４）との間の位置に押し付けさせ、前記可動部（１８３）とともに前記第１テープ（１９）を停止させ、前記第１テープ（１９）と前記塗布端部（１２３）との間の位置を変化させないようにする。前記回転ローラ（１８５）を駆動して回転させる前記外部動力は、例えば、前記回転ローラ支持金具（１８６）に配置された油圧機構でもよく、周知の伝動装置による伝動で、前記回転ローラ（１８５）を連動して回転させるものであればよく、前記外部動力による駆動技術が周知の技術手段でよく、その詳細は省略する。
【００３５】
次に、前記待機部分は、前記第２動力部（１６）によって前記第１巻取部（１１２）に捲きとられ続けられ、前記待機部分（１９３）の長さが徐々に減少するとともに、前記出力軸（１５１）が連動して徐々に縮短し、同時に前記ガイドローラ（１７１）が前記待機部分（１９３）を伸展させるように支持することで、前記粘着面（１９１）がスタックにより粘着されることを回避できる。
【００３６】
続いて、前記出力軸（１５１）短縮ができなくなった場合、前記出力軸（１５１）の延伸が再び行われて、前記制動部（１８）により挟まれる前記第１テープ（１９）が解放され、前記塗布部（１２）における粘着剤の排出が起動され、前記第１テープ（１９）の第１運動が再び実行され、次の粘着剤の塗布を行う。
【００３７】
上述したように、前記電子部品の包装とキャリアテープへの粘着剤の塗布とを並行して実施する装置（１０）では、粘着剤の塗布が断続的な動作に影響されず、前記第１動力部（１５）における出力軸の延伸によって、一定の速度に維持して実施できる。また、前記第１動力部（１５）における出力軸（１５１）の延伸度に応じて第１運動時間は、前記第２運動の運動時間より長くなるが、前記制動部（１８）及び前記第１動力部（１５）における出力軸（１５１）の短縮による中断時間は、第２運動の停止時間より遥かに長くなることで、前記塗布部（１２）が短時間に繰り返し動かされたり、中断されたりすることを回避でき、且つ制御されやすいため、本発明は従来技術より効率を顕著に向上させる。
【符号の説明】
【００３８】
１０  電子部品の包装とキャリアテープへの粘着剤の塗布とを並行して実施する装置
１１  機台    １１１  ベース    １１２  第１巻取部    １１３  第２巻取部
１１４  電子部品配置加工エリア    １１５  支柱    １１６  第３巻取部
１１７  支持アーム    １２  塗布部    １２１  支持金具    １２２  容器
１２３  塗布端部    １２４  位置決め金具    １２５  押さえロール
１２６、１２７  押さえ治具    １３  乾燥部    １３１  箱体    １３２  入口
１３３  出口    １３４  ヒートパイプ    １４  結合部    １５  第１動力部
１５１  出力軸    １６  第２動力部    １６１  ベルト    １７  伸展部
１７１  ガイドローラ    １８  制動部    １８１  支持プレート
１８２  固定部    １８３  可動部    １８４  油圧機構    １８５  回転ローラ
１８６  回転ローラ支持金具    １８７  押圧金具    １９  第１テープ
１９１  粘着面    １９２  支持面    ２０  第２テープ
【図１】
2019108143.tif 000003
【図２】
2019108143.tif 000004
【図３】
2019108143.tif 000005
【図４】
2019108143.tif 000006
【図５】
2019108143.tif 000007
【図６】
2019108143.tif 000008
【図７】
2019108143.tif 000009
【図８】
2019108143.tif 000010
【図９】
2019108143.tif 000011
【図１０】
2019108143.tif 000012
【図１１】
2019108143.tif 000013
【図１２】
2019108143.tif 000014
【外国語明細書】
2019108143000001.pdf